(57)【要約】【課題】水受け槽内に洗剤を入れて効率良く泡立たせることができ、また水を入れて、水受け槽内で小物の衣類を良好に洗濯することのできる浴室内水受け槽を提供する。【解決手段】水を溜めることのできる容器形状の水受け槽５と、水受け槽５内に水または湯を供給可能な吐水口と、溜められた水を排水可能に水受け槽５の底面に設けられた排水栓６と、排水栓の付近に設けられてエアポンプ１３から供給される空気を水受け槽５内に噴出可能なエア噴出口７を備えて構成する。【選択図】                図１
2004332416.tif 000002
【特許請求の範囲】
【請求項１】
水を溜めることのできる容器形状の水受け槽と、該水受け槽内に水または湯を供給可能な吐水口と、溜められた水を排水可能に水受け槽の底面に設けられた排水栓と、該排水栓の付近に設けられてエアポンプから供給される空気を、水受け槽内に噴出可能なエア噴出口を備えていることを特徴とする浴室内水受け槽。
【請求項２】
前記エアポンプを人力で回転させることのできる手段が設けられていることを特徴とする請求項１に記載の浴室内水受け槽。
【請求項３】
前記水受け槽の開口部を密閉状に覆うことができる蓋部材と、水受け槽の上面以外に開口された泡噴出口を備えていることを特徴とする請求項１または請求項２に記載の浴室内水受け槽。
【発明の詳細な説明】
【０００１】
【発明の属する技術分野】
この発明は、浴室内に設けられた水受け槽に関するものである。
【０００２】
【従来の技術】
従来、浴槽を洗濯機の代わりに使用する事例がある（例えば、特許文献１参照。）。
また、従来、浴室内でエアを使って洗剤を発泡させる事例がある（例えば、特許文献２参照。）。
【０００３】
【特許文献１】
特開２０００−８３８５２号公報
【特許文献２】
特開２００２−９５６００号公報
【０００４】
【発明が解決しようとする課題】
従来のように浴槽全体を洗濯機代わりに使用することは、大量の洗剤や水が必要となり、不経済であるという問題点があった。
また、浴室内でエアを使って洗剤を発泡させるために、ホースに発泡機能が設けられており、使い勝手が悪いという問題があった。
また、空気を取り込みやすい布製のもので、ボディシャンプーを湯と混ぜ、擦り合わせることで泡立たせるものが市販されているが（特開２００１−３７６７０号公報）、泡立てる効率は良くないものであった。
【０００５】
【課題を解決するための手段】
本発明は、上記従来の問題点に鑑み案出したものであって、洗剤を効率良く泡立てることができ、また、水を入れて小物の衣類を洗濯することのできる浴室内水受け槽を提供せんことを目的とし、その第１の要旨は、水を溜めることのできる容器形状の水受け槽と、該水受け槽内に水または湯を供給可能な吐水口と、溜められた水を排水可能に水受け槽の底面に設けられた排水栓と、該排水栓の付近に設けられてエアポンプから供給される空気を、水受け槽内に噴出可能なエア噴出口を備えていることである。
また、第２の要旨は、前記エアポンプを人力で回転させることのできる手段が設けられていることである。
また、第３の要旨は、前記水受け槽の開口部を密閉状に覆うことができる蓋部材と、水受け槽の上面以外に開口された泡噴出口を備えていることである。
【０００６】
【発明の実施の形態】
以下、本発明の実施例を図面に基づいて説明する。
図１は、浴室の概略構成図であり、浴室１内に設けられた浴槽２から、壁面に沿って洗い場側３へ延びるカウンター４が設けられており、このカウンター４の上面に一段低く段４ａが形成され、この段４ａ内に、水を溜めることのできる水受け槽５が設けられ、この水受け槽５の底面には、開閉できる排水栓６が設けられているとともに、この排水栓６の付近に、エアを水受け槽５内に噴出できるエア噴出口７が設けられている。また、段４ａ内の上面側には、スイッチ８が設けられている。
【０００７】
排水栓６には、排水ホース９が接続されて、排水ホース９は、防水パンの底側に設けられた排水トラップ１０に接続され、排水トラップ１０から排水管１１を通し排水できるように構成されている。
また、エア噴出口７には、エアホース１４が接続されており、エアホース１４の一部には、水受け槽５内に溜められる水の溢れ面よりも上方へ立ち上げた立ち上がり部１４ａが形成されている。また、エアホース１４には、電源１２に接続されたエアポンプ１３が接続されている。
なお、電源１２は商用電源であっても、またバッテリーであっても、また電池であっても良い。なお、エアポンプ１３は、カウンター４内に隠蔽状に設けられる場合や、浴室１の天井裏に設置される場合がある。
【０００８】
水受け槽５は、図２に拡大して示すように、すり鉢形状に形成されたものであっても、また図３に示すように、洗面器または手洗器状に形成されたものであっても、また図４に示すように、底側がＵ字状に狭まった形状に形成されたものであっても良く、内部に水を溜められる容器形状であれば、どのような形状であっても良い。
【０００９】
なお、図５には浴室の具体例を示し、浴室１の浴槽２から延びるカウンター４に洗面器形状の水受け槽５が設けられ、この水受け槽５の上面を蓋部材１５で蓋できるように構成したものである。この水受け槽５は、洗面器としても使用することができ、手洗いや洗面を良好に行うことができるものである。
なお、蓋部材１５の上方には、吐水口１６ａを有する水栓本体１６が設けられており、吐水口１６ａから水または湯を水受け槽５内に供給できるように構成されている。
なお、水栓本体１６の上部には、鏡１７が設置されている。
【００１０】
図６には、要部拡大図を示す。
図６に示すように、水受け槽５の底面には、開閉可能な排水栓６が設けられており、その付近に、エア噴出口７が設けられている。
なお、エア噴出口７は、水受け槽５の底側に設けられても良いし、また、水受け槽５内に少量の水が溜まった時に水没可能な側面側に設けられたものであっても良い。また更には、排水栓６とエア噴出口７が兼用された構成であっても良い。
【００１１】
なお、エア噴出口７は水受け槽５から容易に取り外し可能に構成しておくと、エア噴出口７の清掃や交換が容易なものとなる。
また、エア噴出口７は、細かい空気を噴出できる多孔質部材で構成しても良く、また、大きな空気の泡を噴出できる形状に形成したものであっても良い。さらには、細かい空気の泡と大きな空気の泡を切り替えできるような構成としておけば、細かい空気を噴出させて良好に洗剤を泡立てることができるものとなり、また、大きな泡に切り替えて、衣類を洗濯する時に大きな泡で良好に洗濯することができるものとなる。
【００１２】
また、段部４ａの上面に設けられているスイッチ８は、エアポンプ１３を作動させるためのスイッチである。
カウンター４の段部４ａ内にほぼ面一状に嵌め込んで、水受け槽５の上面を覆蓋できる蓋部材１５には、指を入れることのできる取っ手代わりにも使用できる空気抜き孔１５ａが形成されており、蓋部材１５を蓋した状態で、エア噴出口７から水受け槽５内にエアを噴出させた時に、この空気抜き孔１５ａから空気を抜くことができるように構成されている。
また、蓋部材１５を蓋した状態で、蓋部材１５の上面に洗面器を載せて、桶台として使用することもでき、その場合には、汚水等が良好にこの空気抜き孔１５ａから水受け槽５内に流れ、使用者に汚水がかからないように構成されている。
【００１３】
このような構成では、水受け槽５の排水栓６を閉じて、水栓本体１６の吐水口１６ａより水受け槽５内へ湯を少量入れ、更に、水受け槽５内に液状のボディシャンプー等の洗剤を入れ、スイッチ８をＯＮすることで、エアポンプ１３が作動され、水受け槽５の底側のエア噴出口７から空気が噴出されて、噴出される空気により、水と混ざった洗剤が空気発泡することとなり、良好に洗剤を水受け槽５内で泡立てることができ、その泡立てた洗剤で良好に身体等を洗うことができるものとなる。
また、使用後は、吐水口１６ａから水を流しながら排水栓６を開けることにより、洗剤は排水ホース９を通り排水トラップ１０に流れ、排水管１１を介して良好に排水されるものである。
【００１４】
また、水受け槽５内に水を多めに入れ、小物の衣類を水受け槽５内に入れて、エア噴出口７からエアを噴出させることにより、噴出される空気の流れによって水受け槽５内で水流が発生し、また空気のはじける衝撃で、衣類を良好に水受け槽５内で洗濯することができるものとなる。この場合に、蓋部材１５を、水受け槽５の上面に蓋しておけば、水が飛び散ることなく、良好に洗濯できるものとなる。
【００１５】
なお、図１のように、エアホース１４の一部を立ち上がらせて、立ち上がり部１４ａを形成させておくか、また、エアポンプ１３を水受け槽５の水の溢れ面より上方に配置させておけば、水受け槽５からエアポンプ１３への水の逆流を良好に防止できるものとなる。
なお、図７は、蓋部材１５で水受け槽５の上面を蓋した状態の浴室の斜視構成図である。
【００１６】
次に、図８の要部斜視図で変更例を示し、また図９には、図８の断面図を示す。
この図８及び図９では、蓋部材１５の裏面の外周側に、パッキン等の密閉部材１５ｂが設けられており、蓋部材１５で水受け槽５の上面を蓋した時に、この密閉部材１５ｂは、水受け槽５の上面開口の外周に当接して、水受け槽５が密閉状態となるように構成されている。
【００１７】
また、水受け槽５の洗い場３側へ突出した前端には、上面開口から溝状に切り欠いて泡噴出口５ａが形成されたものとなっている。
このような構成では、蓋部材１５を蓋して水受け槽５の上面開口を密閉した状態で、エア噴出口７から空気を噴出させて、水受け槽５内で洗剤を泡立たせることで、泡噴出口５ａから洗剤が細かい泡として出てくるため、この泡噴出口５ａから出てくる泡を手ですくって、洗い場３で良好に身体を洗うことができるものとなり、この泡噴出口５ａから出てくる泡は、泡噴出口５ａの開口面積が狭いために、発泡した洗剤が圧縮されて極めて細かい良質の泡となる。
【００１８】
なお、図１０の斜視図で、また図１１の断面図で示すものは、更に異なる変更例であり、図１０，図１１では、水受け槽５の前端の上面より少し下の部位に、洗い場３側へ貫通状に泡噴出口５ｂを形成させたものであり、この泡噴出口５ｂにおいても、水受け槽５の上面開口を蓋部材１５で密閉状に覆って、水受け槽５内で洗剤を泡立たせる時に、水受け槽５内で発泡した洗剤が圧縮されて、この泡噴出口５ｂから細かい泡として出てくるため、細かい良質の泡で身体等を良好に洗うことができるものとなる。
なお、図１１では、水受け槽５の後部に上方へ立ち上げて回動軸部５ｃが形成されており、この回動軸部５ｃを軸として蓋部材１５を良好に開閉できるように構成したものである。
【００１９】
なお、図１２の斜視図で、また図１３の正面断面構成図で示すものは、変更例であり、本例では、洗い場３側の壁面に設けられた桶を載せるための桶台１９に水受け槽５を設けたものであり、桶台１９の上面には段１９ａが形成され、この段１９ａ内に水受け槽５が形成されており、段１９ａには、パッキン１５ｂを備えた蓋部材１５を面一状に被せて、水受け槽５の上面を密閉できるように構成されている。また、水受け槽５の前端側には、溝状に切り欠いて泡噴出口５ａが形成されている。
【００２０】
また、本例では、桶台１９の側面側に、ポンプ駆動ハンドル１８が突出状に設けられており、このポンプ駆動ハンドル１８を手で持ち、回転させることで、エアポンプ１３を回転させて、エアポンプ１３から空気をエア噴出口７へ供給することができるように構成されている。
即ち、ポンプ駆動ハンドル１８は、回転機構などを介してエアポンプ１３を回転させることができるように連繋されており、エアポンプ１３は桶台１９内に内装されており、このエアポンプ１３にはエアホース１４が連結されて、エアホース１４も桶台１９内に内装されて、エア噴出口７に連結されたものとなっている。
なお、エアホース１４の一部には、立ち上がり部１４ａが形成されており、この立ち上がり部１４ａは水受け槽５内の水位よりも高い位置に配置されたものである。
なお、桶台１９の底側には、エアポンプ１３にエアを吸い込ませるためのエア吸入口１９ｂが開口されている。
【００２１】
このようにエアポンプ１３を回転させることのできるポンプ駆動ハンドル１８を設けておけば、ポンプ駆動ハンドル１８を手で回転させることでエアを発生させることができ、電気が不要となり、湿気の多い浴室内に電気配線等を行う必要がなく、良好に浴室内に設置することができるものとなり、しかも、ポンプ駆動ハンドル１８を回している間だけ泡を発生させることができるために、運転用のスイッチ８等も不要なものとなる。
なお、このような手で回転させることのできるポンプ駆動ハンドル１８に代えて、足等の人力でエアポンプ１３を回転させることのできる手段を設けておくこともできるものである。
【００２２】
【発明の効果】
本発明は、水を溜めることのできる容器形状の水受け槽と、水受け槽内に水または湯を供給可能な吐水口と、溜められた水を排水可能に水受け槽の底面に設けられた排水栓と、排水栓の付近に設けられてエアポンプから供給される空気を、水受け槽内に噴出可能なエア噴出口を備えていることにより、水受け槽内に水や洗剤を溜め、それらに空気を噴出することができ、洗剤を入れた場合は、水受け槽内で効率良く泡立たせることができ、また、水を入れた場合は、水受け槽内で小物の衣類の洗濯を行うことができるものとなる。
【００２３】
また、エアポンプを人力で回転させることのできる手段が設けられていることにより、人力によりエアポンプを回転させてエアを発生させ泡立てることができるため、電気が不要となり、省エネ構造となる。また、人力でエアポンプを回転させている間だけ泡が発生するため、運転スイッチなどが不要となる。また、エアポンプは電気を使用しないため、湿気の多い浴室内に良好に設置することができ、配管，配線の接続が不要のため、施工が容易なものとなる効果を有する。
【００２４】
また、水受け槽の開口部を密閉状に覆うことができる蓋部材と、水受け槽の上面以外に開口された泡噴出口を備えていることにより、蓋部材で水受け槽の開口を密閉状に蓋して、水受け槽内で洗剤を発泡させると、発泡した洗剤が圧縮されて、泡噴出口から細かい泡として外側へ出てくるため、この細かい良質の泡により良好に身体等を洗うことができるものとなる。
【図面の簡単な説明】
【図１】浴室に設けられた水受け槽の概略構成図である。
【図２】すり鉢形状の水受け槽の概略構成図である。
【図３】洗面器形状の水受け槽の概略構成図である。
【図４】底側がＵ字状を成す水受け槽の概略構成図である。
【図５】水受け槽と蓋部材を設けた浴室の具体例を示す斜視構成図である。
【図６】図５の要部拡大構成図である。
【図７】水受け槽の上面を蓋部材で蓋した状態の浴室の斜視構成図である。
【図８】水受け槽に溝状の泡噴出口を形成させた変更例の要部斜視構成図である。
【図９】図８の水受け槽の断面構成図である。
【図１０】更に異なる変更例を示し、貫通状の泡噴出口を有する水受け槽の斜視構成図である。
【図１１】蓋で密閉した状態の水受け槽の断面構成図である。
【図１２】ポンプ駆動ハンドルを設けた水受け槽の斜視構成図である。
【図１３】図１２の正面断面構成図である。
【符号の説明】
１    浴室
２    浴槽
３    洗い場
４    カウンター
４ａ    段
５    水受け槽
５ａ，５ｂ    泡噴出口
５ｃ    回動軸部
６    排水栓
７    エア噴出口
８    スイッチ
９    排水ホース
１０    排水トラップ
１１    排水管
１２    電源
１３    エアポンプ
１４    エアホース
１４ａ    立ち上がり部
１５    蓋部材
１５ａ    空気抜き孔
１５ｂ    密閉部材（パッキン）
１６    水栓本体
１６ａ    吐水口
１８  ポンプ駆動ハンドル
１９  桶台
１９ａ  段
１９ｂ  エア吸入口
【図１】
2004332416.tif 000003
【図２】
2004332416.tif 000004
【図３】
2004332416.tif 000005
【図４】
2004332416.tif 000006
【図５】
2004332416.tif 000007
【図６】
2004332416.tif 000008
【図７】
2004332416.tif 000009
【図８】
2004332416.tif 000010
【図９】
2004332416.tif 000011
【図１０】
2004332416.tif 000012
【図１１】
2004332416.tif 000013
【図１２】
2004332416.tif 000014
【図１３】
2004332416.tif 000015